(57)【特許請求の範囲】
【請求項１】
原画像データを受信することと、
前記原画像データに基づいて原画素の情報を取得することと、ここで、前記原画素はＬＥＤディスプレイパネル上に予め設定されたルールに従って分布されたピクセルで、前記原画素の情報は前記原画素の色情報と前記原画素の位置情報を含み、
前記原画素の情報で予め設定されたアルゴリズムに従って計算を行って、目標画素の情報を取得することと、ここで、前記目標画素は前記予め設定された分布ルールに適合しないピクセルであって、前記目標画素の情報は前記目標画素の色情報と前記目標画素の位置情報を含み、
前記目標画素の色情報と前記目標画素の位置情報に基づいて前記原画像データに対応する画像を制御して前記ＬＥＤディスプレイパネル上に表示することと、を含み、
前記原画像データに基づいて前記原画素の情報を取得した後、
前記原画素の色情報を抽出することと、
前記原画素の画素ピッチ情報を抽出することと、ここで、前記画素ピッチ情報は隣接する原画像間のピッチを表す情報であって、
前記原画素が前記目標画素まで移動するのに必要なオフセット量を確定することと、を更に含み、
前記原画素の情報で前記予め設定されたアルゴリズムに従って計算を行うことは、前記原画素の色情報、前記原画素の画素ピッチ情報と前記オフセット量で前記予め設定されたアルゴリズムに従って計算を行って前記目標画素の色情報を得ることを含み、
前記原画素は複数の原画素を含み、前記原画素が前記目標画素まで移動するのに必要なオフセット量を確定することは、前記複数の原画素が前記原画素に対応する目標画素まで移動するのに必要なオフセット量をそれぞれ確定して、サイズ又は方向が異なる複数のオフセット量を得ることを含み、
前記原画素の色情報は前記原画素の位置の変化に応じて調整される
ことを特徴とするＬＥＤディスプレイに用いられる画像処理方法。
【請求項２】
前記原画像データに基づいて前記原画素の情報を取得した後、
前記原画素の座標情報を抽出することを更に含み、
前記原画素の情報で予め設定されたアルゴリズムに従って計算を行うことは、前記オフセット量に基づいて前記原画素の座標情報をオフセットして、前記目標画素の座標情報を得ることを含み、
前記目標画素の色情報と前記目標画素の位置情報に基づいて前記原画像データに対応する画像を制御して前記ＬＥＤディスプレイパネル上に表示することは、前記目標画素の座標情報に基づいて前記ＬＥＤディスプレイパネル上のＬＥＤピクセルの位置を制御することと、前記ＬＥＤピクセルの位置と前記目標画素の色情報に基づいて前記ＬＥＤディスプレイパネルに前記画像を表示することと、を含むことを特徴とする請求項１に記載の方法。
【請求項３】
前記オフセット量は横座標オフセット量と縦座標オフセット量を含み、前記横座標オフセット量と前記縦座標オフセット量は予め設定された閾値以下であって、前記予め設定された閾値は前記原画素の画素ピッチ未満であることを特徴とする請求項１に記載の方法。
【請求項４】
原画像データを受信する受信ユニットと、
前記原画像データに基づいて原画素の情報を取得する取得ユニットと、ここで、前記原画素はＬＥＤディスプレイパネル上に予め設定されたルールに従って分布されたピクセルであって、前記原画素の情報は前記原画素の色情報と前記原画素の位置情報を含み、
前記原画素の情報で予め設定されたアルゴリズムに従って計算を行って目標画素の情報を得る計算ユニットと、ここで、前記目標画素は前記予め設定された分布ルールに適合しないピクセルであって、前記目標画素の情報は前記目標画素の色情報と前記目標画素の位置情報を含み、
前記目標画素の色情報と前記目標画素の位置情報に基づいて前記原画像データに対応する画像を制御して前記ＬＥＤディスプレイパネル上に表示する制御ユニットと、を含み、
前記原画像データに基づいて前記原画素の情報を取得した後、前記原画素の色情報を抽出し、前記原画素の画素ピッチ情報を抽出する抽出ユニットと、ここで、前記画素ピッチ情報は隣接する原画像間のピッチを表す情報であって、
前記原画素が前記目標画素まで移動するのに必要なオフセット量を確定する確定ユニットと、を更に含み、
前記計算ユニットは前記原画素の色情報、前記原画素の画素ピッチ情報と前記オフセット量で前記予め設定されたアルゴリズムに従って計算を行って前記目標画素の色情報を得て、
前記原画素は複数の原画素を含み、前記確定ユニットが、前記複数の原画素が前記原画素に対応する目標画素まで移動するのに必要なオフセット量をそれぞれ確定して、サイズと方向が異なる複数のオフセット量を得て、
前記原画素の色情報は前記原画素の位置の変化に応じて調整される
ことを特徴とするＬＥＤディスプレイに用いられる画像処理装置。
【請求項５】
前記抽出ユニットはさらに、前記原画像データに基づいて前記原画素の情報を取得した後、前記原画素の座標情報を抽出し、
前記計算ユニットはさらに、前記オフセット量に基づいて前記原画素の座標情報をオフセットして、前記目標画素の座標情報を得て、
前記制御ユニットは前記目標画素の座標情報に基づいて前記ＬＥＤディスプレイパネル上のＬＥＤピクセルの位置を制御し、前記ＬＥＤピクセルの位置と前記目標画素の色情報に基づいて前記ＬＥＤディスプレイパネル上に前記画像を表示することを特徴とする請求項４に記載の装置。
【請求項６】
原画像データを受信し、前記原画像データに基づいて原画素の情報を取得し、前記原画素の情報で予め設定されたアルゴリズムに従って計算を行って目標画素の情報を得るプロセッサと、ここで、前記原画素はＬＥＤディスプレイパネルに予め設定されたルールに従って分布されたピクセルであって、前記原画素の情報は前記原画素の色情報と前記原画素の位置情報を含み、前記目標画素は前記予め設定された分布ルールに適合しないピクセルであって、前記目標画素の情報は前記目標画素の色情報と前記目標画素の位置情報を含み、
前記目標画素の情報に基づいて前記原画像データに対応する画像を制御して前記ＬＥＤディスプレイパネルに表示するＬＥＤコントローラと、を含むことを特徴とするＬＥＤディスプレイに用いられ、
前記プロセッサが、前記原画像データに基づいて前記原画素の情報を取得した後、前記原画素の色情報を抽出し、前記原画素の画素ピッチ情報を抽出し、ここで、前記画素ピッチ情報は隣接する原画像間のピッチを表す情報であって、前記プロセッサが、前記原画素が前記目標画素まで移動するのに必要なオフセット量を確定し、前記原画素の色情報、前記原画素の画素ピッチ情報と前記オフセット量で前記予め設定されたアルゴリズムに従って計算を行って前記目標画素の色情報を得て、
前記原画素は複数の原画素を含み、前記確定ユニットが、前記複数の原画素が前記原画素に対応する目標画素まで移動するのに必要なオフセット量をそれぞれ確定して、サイズと方向が異なる複数のオフセット量を得て、
前記原画素の色情報は前記原画素の位置の変化に応じて調整される
画像処理装置。
【請求項７】
請求項４乃至６のいずれかに記載のＬＥＤディスプレイに用いられる画像処理装置を含むことを特徴とするＬＥＤ表示装置。
【発明の詳細な説明】
【技術分野】
【０００１】
本発明は、画像処理分野に関し、特に、ＬＥＤディスプレイに用いられる画像処理方法及び装置に関する。
【背景技術】
【０００２】
現在、発光ダイオード（Ｌｉｇｈｔ  Ｅｍｉｔｔｉｎｇ  Ｄｉｏｄｅ、ＬＥＤと略称）ディスプレイ中のＬＥＤピクセルは一定の予め設定されたルールで分布されたピクセルであって、例えば行列状に分布されたピクセルである。図１は既存技術に係るＬＥＤディスプレイに用いられる画像表示装置を示す図である。図１に示すように、該ＬＥＤディスプレイに用いられる画像表示装置は、ＬＥＤディスプレイパネル１０１′と、ＬＥＤランプ１０２′と、光学レンズ１０３′と、感光体ユニット１０４′と、感光画素粒子１０５′とを含む。光信号は現代デジタル撮影撮像機器における光学レンズ１０３′を通過した後、現代デジタル撮影撮像機器中の感光体ユニット１０４′に集中され、感光体ユニット１０４′によって集中された光信号を感光画素粒子１０５′によって光電変換させて電気信号を得て、その後、ＬＥＤコントローラによりデジタル画像を制御してＬＥＤディスプレイが受信可能な電気信号を出力し、ＬＥＤディスプレイはさらに電気信号に対応するデジタル画像を表示する。その中、感光体ユニット１０４′は電荷結合素子（Ｃｈａｒｇｅ  Ｃｏｕｐｌｅｄ  Ｄｅｖｉｃｅ、ＣＣＤと略称）又は相補型金属酸化物半導体素子（Ｃｏｍｐｌｅｍｅｎｔａｒｙ  Ｍｅｔａｌ  Ｏｘｉｄｅ  Ｓｅｍｉｃｏｎｄｕｃｔｏｒ、ＣＭＯＳと略称）等であることができ、画素粒子１０５′は感光体ユニット１０４′上の感光画素粒子で行列状に分布され、ＬＥＤディスプレイはＬＥＤディスプレイパネル１０１′とＬＥＤランプ１０２′とを含み、ＬＥＤランプ１０２′はＬＥＤディスプレイパネル１０１′に行列状に分布され、横縦がまっすぐである特徴を有し、ＬＥＤランプの画素情報を表すことができる。
【０００３】
ＬＥＤディスプレイパネル１０１′上のＬＥＤランプ１０２′の分布方式が感光体ユニット１０４′上の感光画素粒子１０５′の分布と同様でいずれも行列状に分布され、つまり、ＬＥＤディスプレイパネル１０１′上のＬＥＤピクセルの分布方式が感光体ユニット１０４′上の感光画素粒子１０５′の分布と同様であるので、光電回折によって生成したデジタル画像にモアレが発生し、モアレ現象を回避することができない。図２は既存技術に係るデジタルカメラで撮影したＬＥＤディスプレイを示す図で、図２に示すように、デジタルカメラで撮影したＬＥＤディスプレイはモアレによってＬＥＤディスプレイ上に規則的な縞が現れた。図３は既存技術に係るＬＥＤディスプレイの表示画像を示す図、図３に示すように、撮像装置が着物を撮像して着物の画像を取得した後、ＬＥＤディスプレイによって表示し、ＬＥＤディスプレイ上に規則的な行列の模様が表示され、映像写真の品質は人物の着物の真実な効果を表すことができなくなる。光電回折現象によって画像にモアレが発生するので、ＬＥＤディスプレイの表示画像が歪んで、明確でなく、画像表示品質に厳重な影響を与えて、ＬＥＤの画像表示品質が悪くなってしまう。ＬＥＤディスプレイの前にガラス、薄膜等の装置を追加して補充しても、それによる放熱問題、メンテナンス問題、現像偏色問題、画像発光不一致等の問題を解決することができない。
既存技術においてモアレが発生することでＬＥＤディスプレイの画像表示品質が悪くなる問題について、未だに有効な解決案を提示していない。
【発明の概要】
【発明が解決しようとする課題】
【０００４】
本発明は、モアレが発生することでＬＥＤディスプレイの画像表示品質が悪くなる問題を解決できるＬＥＤディスプレイに用いられる画像処理方法及び装置を提供することを主な目的とする。
【課題を解決するための手段】
【０００５】
上記目的を実現するため、本発明の一態様によると、ＬＥＤディスプレイに用いられる画像処理方法を提供する。該ＬＥＤディスプレイに用いられる画像処理方法は、原画像データを受信することと、原画像データに基づいて原画素の情報を取得することと、ここで、原画素はＬＥＤディスプレイパネル上に予め設定されたルールに従って分布されたピクセルで、原画素の情報は原画素の色情報と原画素の位置情報を含み、原画素の情報で予め設定されたアルゴリズムに従って計算を行って、目標画素の情報を取得することと、ここで、目標画素は予め設定された分布ルールに適合しないピクセルであって、目標画素の情報は目標画素の色情報と目標画素の位置情報を含み、目標画素の色情報と目標画素の位置情報に基づいて原画像データに対応する画像を制御してＬＥＤディスプレイパネル上に表示することと、を含む。
【０００６】
さらに、原画像データに基づいて原画素の情報を取得した後、該ＬＥＤディスプレイに用いられる画像処理方法は、原画素の色情報を抽出することと、原画素の画素ピッチ情報を抽出することと、ここで、画素ピッチ情報は隣接する原画像間のピッチを表す情報であって、原画素が目標画素まで移動するに必要なオフセット量を確定することと、を更に含み、ここで、原画素の情報で予め設定されたアルゴリズムに従って計算を行うことは、原画素の色情報、原画素の画素ピッチ情報とオフセット量で予め設定されたアルゴリズムに従って計算を行って目標画素の色情報を得ることを含む。
【０００７】
さらに、原画像データに基づいて原画素の情報を取得した後、該ＬＥＤディスプレイに用いられる画像処理方法は、原画素の座標情報を抽出することを更に含み、原画素の情報で予め設定されたアルゴリズムに従って計算を行うことは、オフセット量に基づいて原画素の座標情報をオフセットして、目標画素の座標情報を得ることを含み、目標画素の色情報と目標画素の位置情報に基づいて原画像データに対応する画像を制御してＬＥＤディスプレイパネル上に表示することは、目標画素の座標情報に基づいてＬＥＤディスプレイパネル上のＬＥＤピクセルの位置を制御することと、ＬＥＤピクセルの位置と目標画素の色情報に基づいてＬＥＤディスプレイパネルに画像を表示することと、を含む。
【０００８】
さらに、オフセット量は横座標オフセット量と縦座標オフセット量を含み、ここで、横座標オフセット量と縦座標オフセット量は予め設定された閾値以下であって、予め設定された閾値は原画素の画素ピッチ未満である。
【０００９】
さらに、原画素は複数の原画素を含み、原画素が目標画素まで移動するに必要なオフセット量を確定することは、複数の原画素が原画素に対応する目標画素まで移動するに必要なオフセット量をそれぞれ確定して、サイズ又は方向が異なる複数のオフセット量を得ることを含む。
【００１０】
上記目的を実現するため、本発明の他の一態様によると、ＬＥＤディスプレイに用いられる画像処理装置を提供する。該ＬＥＤディスプレイに用いられる画像処理装置は、原画像データを受信する受信ユニットと、原画像データに基づいて原画素の情報を取得する取得ユニットと、ここで、原画素はＬＥＤディスプレイパネル上に予め設定されたルールに従って分布されたピクセルであって、原画素の情報は原画素の色情報と原画素の位置情報を含み、原画素の情報で予め設定されたアルゴリズムに従って計算を行って目標画素の情報を得る計算ユニットと、ここで、目標画素は予め設定された分布ルールに適合しないピクセルであって、目標画素の情報は目標画素の色情報と目標画素の位置情報を含み、目標画素の色情報と目標画素の位置情報に基づいて原画像データに対応する画像を制御してＬＥＤディスプレイパネル上に表示する制御ユニットと、を含む。
【００１１】
さらに、該ＬＥＤディスプレイに用いられる画像処理装置は、原画像データに基づいて原画素の情報を取得した後、原画素の色情報を抽出し、原画素の画素ピッチ情報を抽出する抽出ユニットと、ここで、画素ピッチ情報は隣接する原画像間のピッチを表す情報であって、原画素が目標画素まで移動するに必要なオフセット量を確定する確定ユニットと、を更に含み、ここで、計算ユニットは原画素の色情報、原画素の画素ピッチ情報とオフセット量で予め設定されたアルゴリズムに従って計算を行って目標画素の色情報を得る。
【００１２】
さらに、該ＬＥＤディスプレイに用いられる画像処理装置中の抽出ユニットはさらに、原画像データに基づいて原画素の情報を取得した後、原画素の座標情報を抽出し、計算ユニットはさらに、オフセット量に基づいて原画素の座標情報をオフセットして、目標画素の座標情報を得て、制御ユニットは目標画素の座標情報に基づいてＬＥＤディスプレイパネル上のＬＥＤピクセルの位置を制御し、ＬＥＤピクセルの位置と目標画素の色情報に基づいてＬＥＤディスプレイパネル上に画像を表示する。
【００１３】
さらに、原画素は複数の原画素を含み、該ＬＥＤディスプレイに用いられる画像処理装置中の確定ユニットはさらに、複数の原画素が原画素に対応する目標画素まで移動するに必要なオフセット量をそれぞれ確定して、サイズ又は方向が異なる複数のオフセット量を得る。
【００１４】
上記目的を実現するため、本発明の他の一態様によると、ＬＥＤディスプレイに用いられる画像処理装置を提供する。該ＬＥＤディスプレイに用いられる画像処理装置は、原画像データを受信し、原画像データに基づいて原画素の情報を取得し、原画素の情報で予め設定されたアルゴリズムに従って計算を行って目標画素の情報を得るプロセッサと、ここで、原画素はＬＥＤディスプレイパネルに予め設定されたルールに従って分布されたピクセルであって、原画素の情報は原画素の色情報と原画素の位置情報を含み、目標画素は予め設定された分布ルールに適合しないピクセルであって、目標画素の情報は目標画素の色情報と目標画素の位置情報を含み、目標画素の情報に基づいて原画像データに対応する画像を制御してＬＥＤディスプレイパネルに表示するＬＥＤコントローラと、を含む。
【００１５】
上記目的を実現するため、本発明の他の一態様によると、本発明で提供するＬＥＤディスプレイに用いられる画像処理装置を含むＬＥＤ表示装置を提供する。
【発明の効果】
【００１６】
本発明は、原画像データを受信した後、原画像データに基づいて原画素の情報を取得し、さらに原画素の情報で予め設定されたアルゴリズムに従って計算を行って目標画素の情報を得て、最後に目標画素の色情報と目標画素の位置情報に基づいて原画像データに対応する画像を制御してＬＥＤディスプレイパネル上に表示することで、モアレが発生することでＬＥＤディスプレイの画像表示品質が悪くなる問題を解決し、ＬＥＤディスプレイの画像表示品質を向上させる。
【図面の簡単な説明】
【００１７】
ここで説明する図面は本発明を一層理解させるためのもので、本願の一部を構成し、本発明に示す実施例及びその説明は本発明を解釈するもので、本発明を限定するものではない。
【図１】既存技術に係るＬＥＤディスプレイに用いられる画像表示装置を示す図である。
【図２】既存技術に係るデジタルカメラが撮影したＬＥＤディスプレイを示す図である。
【図３】既存技術に係るＬＥＤディスプレイの表示画像を示す図である。
【図４】本発明の実施例に係るＬＥＤ表示装置に用いられる画像処理装置を示す図である。
【図５】本発明の実施例１に係るＬＥＤ表示装置に用いられる画像処理方法を示すフローチャートである。
【図６】本発明の実施例に係る原画素の行列状分布を示す図である。
【図７】本発明の実施例に係る原画素の色情報を示す図である。
【図８】本発明の実施例に係る原画素のオフセット量を示す図である。
【図９】本発明の実施例１に係る原画素と目標画素を示す図である。
【図１０】本発明の実施例２に係る原画素と目標画素を示す図である。
【図１１】本発明の実施例１に係る目標画素を示す図である。
【図１２】本発明の実施例２に係る目標画素を示す図である。
【図１３】本発明の実施例２に係るＬＥＤ表示装置に用いられる画像処理方法を示すフローチャートである。
【図１４】本発明の実施例に係る目標画素によって確定した画像を示す図である。
【図１５】本発明の実施例に係るＬＥＤ表示装置に用いられる画像処理装置を示す図である。
【発明を実施するための形態】
【００１８】
なお、矛盾しない限り、本願の実施例及び実施例中の特徴を互いに組み合わせすることができる。以下、図面を参照しつつ実施例を結合して本発明を詳しく説明する。
【００１９】
当業者が本願の技術案を一層理解するように、以下、本願の実施例中の図面を結合して、本願の実施例中の技術案を明確且つ完全に説明するが、以下で説明する実施例は本願の実施例の全部ではなくその一部である。本願の実施例に基づいて、当業者が創造性のある行為を必要とせずに得られる全ての他の実施例はいずれも本願の保護範囲に含まれる。
【００２０】
なお、本願の発明の詳細な説明と特許請求の範囲及び図面における「第１」、「第２」等の用語は類似する対象を区別するためのものであって、特定の順序又は前後順を限定するものではない。ここで使用する数値は、本願の実施例を実現するためには場合によって交換可能である。そして、用語「含む」と「有する」及びその変形は非排他的に含むことをカバーするためのもので、例えば、一連のステップ又はユニットを含むプロセス、方法、システム、製品又は機器は、明確に排列されたステップ又はユニットに限定されることはなく、明確に排列していない又はこれらのプロセス、方法、製品又は機器固有の他のステップ又はユニットを含むこともできる。
【００２１】
本発明の実施例はＬＥＤ表示装置に用いられる画像処理装置を提供する。
【００２２】
図４は本発明の実施例に係るＬＥＤ表示装置に用いられる画像処理装置を示す図である。図４に示すように、該装置はプロセッサ１０とＬＥＤコントローラ２０とを含む。
【００２３】
プロセッサ１０は、原画像データを受信して、原画像データに基づいて原画素の情報を取得し、原画素の情報で予め設定されたアルゴリズムに従って計算を行って目標画素の情報を取得し、ここで、原画素はＬＥＤディスプレイパネル上に予め設定されたルールに従って分布されたピクセルであって、原画素の情報は原画素の色情報と原画素の位置情報を含み、目標画素は予め設定された分布ルールに適合しない画素で、目標画素の情報は目標画素の色情報と目標画素の位置情報を含む。
【００２４】
デジタル撮影装置により画像ビデオリソースを撮影し、例えば、デジタルカメラ、撮像装置等によって画像ビデオリソースを撮影し、ＬＥＤディスプレイ上で画像ビデオリソースを表する。
【００２５】
デジタル撮影装置によって画像ビデオリソースを撮影した後、プロセッサ１０が画像ビデオリソースの原画像データを受信する。ここで、プロセッサ１０は画像ビデオプロセッサである。原画像データは画像ビデオリソースの各フレームの画像のデータで、画像ビデオリソースの情報を表し、画像ビデオリソースの最終的な表示効果を決める。
【００２６】
原画像データによって画像ビデオリソースの原画素を確定することができ、原画素はＬＥＤディスプレイパネル上に予め設定されたルールに従って分布されたピクセルであって、例えば、原画素は行列状に分布されたＬＥＤピクセルである。ＬＥＤピクセルはＬＥＤディスプレイパネル上のＬＥＤランプの変化に応じて変化する。プロセッサ１０は画像ビデオリソースの原画像データを受信した後、プロセッサ１０は原画像データに基づいて原画素の情報を取得する。原画素の情報は原画素の色情報と原画素の位置情報を含む。原画素の色情報は三原色の階調で表し、例えば、画素Ｗ１Ｈ１の色情報は（Ｒ，Ｇ，Ｂ）で、ここで、Ｒは原画素中の赤色の階調を、Ｇは原画素中の緑色の階調を、Ｂは原画素中の黒色の階調を示す。原画素の位置情報は原画素のＬＥＤディスプレイパネルにおける具体的な位置情報で、二次元座標系の横座標と縦座標によって原画素のＬＥＤディスプレイパネルにおける具体的な位置を確定することができる。原画像データは画像ビデオリソースの各フレームの画像を構成する複数の原画素を含み、複数の原画素の色情報と位置情報とに基づいて、原画像のＬＥＤディスプレイパネル上の表示効果を確定する。
【００２７】
プロセッサ１０が原画像データに基づいて原画素の情報を取得した後、プロセッサ１０は原画素の情報で予め設定されたアルゴリズムに従って計算を行って目標画素の情報を得る。具体的には、目標画素は予め設定された分布ルールに適合しないピクセルであって、また、目標画素が行列状に分布されていないピクセル、つまり目標画素の分布が横縦がまっすぐである特徴を有しないことが好ましい。目標画素の情報は目標画素の色情報と目標画素の位置情報を含む。目標画素の情報は目標画素の色情報と目標画素の位置情報を含む。目標画素の色情報も三原色の階調で表すことができ、例えば、目標画素Ｗ１′Ｈ１′の色情報は（Ｒ′，Ｇ′，Ｂ′）で、ここで、Ｒ′は目標画素中の赤色の階調を、Ｇ′は目標画素中の緑色の階調を、Ｂ′は目標画素中の黒色の階調を示す。目標画素の位置情報は目標画素のＬＥＤディスプレイパネル上の位置情報で、二次元座標系の横座標と縦座標によって目標画素のＬＥＤディスプレイパネル上の具体的な位置を確定することができる。プロセッサ１０は原画素の色情報で予め設定されたアルゴリズムに従って計算を行って目標画素の色情報とし、原画素の位置情報で予め設定されたアルゴリズムに従って計算を行って目標画素の位置情報とする。従って、原画素と目標画素は一定の対応関係を有し、複数の目標画素からなる画像と複数の原画素からなる画像は同一の画像を表す。
【００２８】
ＬＥＤコントローラ２０は、目標画素の情報に基づいて原画像データに対応する画像を制御してＬＥＤディスプレイパネルに表示する。
【００２９】
プロセッサ１０が原画素の情報で予め設定されたアルゴリズムに従って計算を行った後、ＬＥＤコントローラ２０は目標画素の色情報と目標画素の位置情報に基づいて原画像データに対応する画像を制御してＬＥＤディスプレイパネル上に表示する。ＬＥＤコントローラは複数の目標画素の情報をＬＥＤディスプレイパネルが受信可能な信号に変換して、ＬＥＤディスプレイパネルにおける複数のＬＥＤランプの位置を制御し、ＬＥＤピクセルをＬＥＤディスプレイパネルにおいて予め設定されたルールに適合しない状態で分布させて、複数の目標画素を得る。複数の目標画素はそれぞれの色情報に対応する色で現れ、一方、デジタル撮影装置中の感光画素粒子は予め設定されたルールに適合する行列状に分布されたので、光電回折現象によって生成した原画像データに対応する画像にモアレ縞が発生することがない。予め設定されたアルゴリズムによって、原画素に対応するＬＥＤランプをＬＥＤディスプレイパネルで再び分布して、予め設定されたルールに適合しないＬＥＤピクセルを得て、ＬＥＤディスプレイの画像表示品質を向上させる。
【００３０】
該ＬＥＤ表示装置に用いられる画像処理装置の実施例は、プロセッサ１０によって原画像データを受信して、原画像データに基づいて原画素の情報を取得し、原画素の情報で予め設定されたアルゴリズムに従って計算を行って目標画素の情報を得て、さらにＬＥＤコントローラ２０によって目標画素の情報に基づいて原画像データに対応する画像を制御してＬＥＤディスプレイパネルに表示することで、ＬＥＤディスプレイの画像表示品質を向上させる。
【００３１】
本発明の実施例はＬＥＤ表示装置に用いられる画像処理方法を提供する。なお、該実施例のＬＥＤ表示装置に用いられる画像処理方法は本発明の実施例のＬＥＤ表示装置に用いられる画像処理装置の実行に用いられることができる。
【００３２】
図５は本発明の実施例１に係るＬＥＤ表示装置に用いられる画像処理方法を示すフローチャートである。図５に示すように、該方法はステップＳ５０１〜ステップＳ５０４を含む。
【００３３】
ステップＳ５０１において、原画像データを受信する。
【００３４】
原画像データは画像ビデオリソースの各フレームの画像のデータで、画像ビデオリソースの情報を示し、例えば、画像ビデオリソースの色情報と位置情報等を示す。原画像データによって画像ビデオリソースの画像の色、画像の輪郭、画像の位置、画像の輝度、画像の解像度等の画像効果を確定する。原画像データの取得はデジタル撮影装置によって行うことができ、例えば、デジタルカメラ、撮像装置、携帯電話の撮像装置等によって原画像データを取得することができる。ここで、デジタル撮影装置は、光学レンズと、光電変換を行う感光体ユニットと、感光体ユニット上の感光画素粒子等を含み、感光画素粒子は行列状に分布され、横縦がまっすぐである特徴を有する。デジタル撮影装置によって原画像データを取得した後、画像ビデオプロセッサによって原画像データを受信することができる。
【００３５】
ステップＳ５０２において、原画像データに基づいて原画素の情報を取得する。
【００３６】
原画像データを受信した後、原画像データに基づいて原画素の情報を取得する。ここで、原画素はＬＥＤディスプレイパネルに予め設定されたルールに従って分布されたピクセルであって、原画素の情報は原画素の色情報と原画素の位置情報を含む。具体的には、原画像データによって画像ビデオリソースの原画素を確定することができ、つまり、ＬＥＤディスプレイパネル上のＬＥＤピクセルの情報を確定することができる。ＬＥＤピクセルの分布はＬＥＤディスプレイパネル上のＬＥＤランプの変化に応じて変化し、例えば、ＬＥＤディスプレイパネル上のＬＥＤランプが行列状に分布されると、図６に示すように、ＬＥＤディスプレイパネルに分布されたＬＥＤピクセルはＬＥＤランプの分布方式と同様に、行列状に分布される。ここで、図６は本発明の実施例に係る原画素の行列状分布を示す図で、６０１はＬＥＤディスプレイパネルで、６０２は原ピクセルである。原画素６０２はＬＥＤディスプレイパネル６０１に行列状に分布されて、横縦がまっすぐである特徴を有し、デジタル撮影装置の感光体ユニット上の感光画素粒子の分布方式と同様である。原画像データは画像ビデオリソースの各フレームの画像を構成する複数の原画素６０２を含み、複数の原画素６０２の色情報と位置情報とによって原画像のＬＥＤディスプレイパネルにおける表示効果を確定する。
【００３７】
原画像データに基づいて原画素の情報を取得した後、原画素の色情報を抽出し、原画素の色情報は（Ｒ，Ｇ，Ｂ）で示し、ここで、Ｒは原画素中の赤色の階調を、Ｇは原画素中の緑色の階調を、Ｂは原画素中の黒色の階調を示し、原画素の位置情報は二次元座標系で示す。図７は本発明の実施例に係る原画素の色情報を示す図である。図７に示すように、原画素の位置情報を原画素の二次元座標系の横座標ｐｉｘｅｌ（Ｗ）と縦座標ｐｉｘｅｌ（Ｈ）によって確定し、１目が一つの原画素を表す。例えば、原画素Ｗ１Ｈ１（Ｒ１，Ｇ１，Ｂ１）、原画素Ｗ２Ｈ２（Ｒ２，Ｇ２，Ｂ２）、原画素Ｗ３Ｈ３（Ｒ３，Ｇ３，Ｂ３）、原画素Ｗ４Ｈ４（Ｒ４，Ｇ４，Ｂ４）等。
【００３８】
原画像データに基づいて原画素の情報を取得した後、原画素の画素ピッチ情報を抽出し、ここで、原画素の位置情報から原画素の画素ピッチ情報を抽出することが好ましく、画素ピッチ情報は隣接する原画像間のピッチを表す情報である。
【００３９】
原画像データに基づいて原画素の情報を取得した後、原画素が目標画素まで移動するのに必要なオフセット量を確定し、原画素が目標画素まで移動するのに必要なオフセット量のサイズと方向を確定することを含む。オフセット量が横座標オフセット量と縦座標オフセット量を含むことが好ましい。横座標オフセット量と縦座標オフセット量は予め設定された閾値以下であって、予め設定された閾値は原画素の画素ピッチ未満である。図８は本発明の実施例に係る原画素オフセット量を示す図である。図８に示すように、原画素を原点とする二次元座標系を構築し、ここで、８０１は原画素の位置で、つまり二次元座標の原点であって、８０２は目標画素の位置で、８０３は予め設定された閾値Ｒを半径とする円形領域で、つまり原画素のオフセットを許可するオフセット量の範囲であって、予め設定された閾値Ｒは原画素のピッチ未満である。原画素は複数の原画素を含み、原画素が目標画素まで移動するのに必要なオフセット量を確定することは、複数の原画素が原画素に対応する目標画素まで移動するのに必要なオフセット量をそれぞれ確定して複数のオフセット量を得ることを含む。ここで、複数のオフセット量のサイズ又は方向は異なっていて、複数のオフセット量によって目標画素の離散程度が決められる。
【００４０】
原画像データに基づいて原画素の情報を取得した後、原画素の座標情報を抽出する。原画素の座標情報が原画素の横座標情報と原画素の縦座標情報である二次元座標情報であることの好ましい。
【００４１】
ステップＳ５０３において、原画素の情報で予め設定されたアルゴリズムに従って計算を行って目標画素の情報を得る。
原画像データに基づいて原画素の情報を取得した後、原画素の情報で予め設定されたアルゴリズムに従って計算を行って目標画素の情報を得る。ここで、目標画素と原画素は予め設定されたアルゴリズムによって一定の対応関係を有し、これにより複数の目標画素からなる画像と複数の原画素からなる画像は同一の画像を示す。原画素の色情報と原画素の位置情報で予め設定されたアルゴリズムに従って計算を行って目標画素の情報を得ることが好ましく、目標画素の情報は目標画素の色情報と目標画素の位置情報を含む。
【００４２】
原画素の色情報を抽出し、原画素の画素ピッチ情報を抽出し、原画素が目標画素まで移動するに必要なオフセット量を確定した後、原画素の情報で予め設定されたアルゴリズムに従って計算を行うことは、原画素の色情報、原画素の画素ピッチ情報とオフセット量で予め設定されたアルゴリズムに従って計算を行って目標画素の色情報を得ることを含む。図9は本発明の実施例１に係る原画素と目標画素を示す図である。図9に示すように、原画素は行列状に分布され、１目が一つの画素を表す。原画素の画素ピッチ情報は画素ピッチpで、色情報が（Ｒ１，Ｇ１，Ｒ１）である原画素の横座標をxオフセットし、原画素の縦座標をyオフセットすると、図9に示す位置の目標画素を得ることができ、その色情報は（Ｒ１′，Ｇ１′，Ｒ１′）である。また、目標画素の色情報（Ｒ１′，Ｇ１′，Ｒ１′）の具体的なアルゴリズムが、
Ｋ１＝ｘ＊（ｐ−ｙ）／（ｐ＊ｐ）、Ｋ２＝ｘ＊ｙ／（ｐ＊ｐ）、Ｋ３＝ｙ＊（ｐ−ｘ）／（ｐ＊ｐ）であると、
Ｒ１'＝Ｒ１＊(１−Ｋ１−Ｋ２−Ｋ３)＋Ｒ２＊Ｋ１＋Ｒ４＊Ｋ２＋Ｒ３＊Ｋ３、
Ｇ１'＝Ｇ１＊(１−Ｋ１−Ｋ２−Ｋ３)＋Ｇ２＊Ｋ１＋Ｇ４＊Ｋ２＋Ｇ３＊Ｋ３、
Ｂ１'＝Ｂ１＊(１−Ｋ１−Ｋ２−Ｋ３)＋Ｂ２＊Ｋ１＋Ｂ４＊Ｋ２＋Ｂ３＊Ｋ３である。
【００４３】
該アルゴリズムは、原画素の画素ピッチ情報とオフセット量によって原画素の色情報（Ｒ１，Ｇ１，Ｒ１）を目標画素の色情報（Ｒ１′，Ｇ１′，Ｒ１′）に変換し、ＬＥＤディスプレイにおいて原画素の位置の変化に応じて原画素の色情報を調整して、画像表示の品質を向上させる。
【００４４】
原画素の座標情報を抽出した後、原画素の情報で予め設定されたアルゴリズムに従って計算を行うことが、図１０に示すように、オフセット量に基づいて原画素の座標情報をオフセットして、つまりオフセット量のサイズと方向に応じて原画素の横座標情報と縦座標情報をオフセットすることを更に含む。図１０は本発明の実施例２に係る原画素と目標画素を示す図で、その中、１００１はＬＥＤディスプレイパネルで、１００２は原画素で、１００３は目標画素で、複数の原画素１００２がオフセットした方向とサイズは異なっていて、複数の原画素１００２がオフセットした方向とサイズの差異が大きいほど、目標画素１００３の分布は一層不規則的であって、ＬＥＤディスプレイパネル１００１上の複数の目標画素１００３が原画素１００２の横縦がまっすぐである分布方式を変更してしまう。図１１は本発明の実施例１に係る目標画素を示す図である。図１１に示すように、１１０１はＬＥＤディスプレイパネルで、１１０２は目標画素で、原画素をオフセットさせた後、目標画素１１０２は予め設定されたルールに従って分布されていない離散ＬＥＤピクセルである。図１２は本発明の実施例２に係る目標画素を示す図である。図１２に示すように、目標画素は予め設定されたアルゴリズムによって得たＬＥＤディスプレイパネル上に現れた大量の不規則的な離散ＬＥＤピクセルで、これにより、画像を表示する際にモアレが発生する現象を回避し、画像表示の品質を向上させる。
【００４５】
該実施例は原画素で予め設定されたアルゴリズムに従って計算を行って、目標画素の色情報を得て、予め設定されたアルゴリズムに従ってオフセットさせて目標画素の位置情報を得て、目標画素の情報を得る。
【００４６】
ステップＳ５０４において、目標画素の色情報と目標画素の位置情報に基づいて原画像データに対応する画像を制御してＬＥＤディスプレイパネル上に表示する。
【００４７】
原画素の情報で予め設定されたアルゴリズムに従って計算を行った後、目標画素の色情報と目標画素の位置情報に基づいて原画像データに対応する画像を制御してＬＥＤディスプレイパネル上に表示する。具体的には、目標画素の座標情報に基づいて、ＬＥＤディスプレイパネル上のＬＥＤピクセルの位置を制御し、ＬＥＤピクセルの位置と目標画素の色情報に基づいて、ＬＥＤディスプレイパネルで画像を表示する。目標画素と原画素は予め設定されたアルゴリズムによって一定の対応関係を有し、これにより、複数の目標画素からなる画像と複数の原画素からなる画像は同一の画像を表す。
【００４８】
該ＬＥＤ表示装置に用いられる画像処理方法の実施例は、原画像データを受信した後、原画像データに基づいて原画素の情報を取得し、さらに原画素の情報で予め設定されたアルゴリズムに従って計算を行って目標画素の情報を得て、最後に目標画素の色情報と目標画素の位置情報に基づいて原画像データに対応する画像を制御してＬＥＤディスプレイパネル上に表示することで、ＬＥＤディスプレイの画像表示品質を向上させる。
【００４９】
図１３は本発明の実施例２に係るＬＥＤ表示装置に用いられる画像処理方法を示すフローチャートである。図１３に示すように、該方法はステップＳ１３０１〜ステップＳ１３０５を含む。
【００５０】
ステップＳ１３０１において、デジタル撮影装置が画像ビデオリソースを取得する。
【００５１】
原画像データの取得はデジタル撮影装置によって行うことができ、例えば、デジタルカメラ、撮像装置、携帯電話の撮像装置等によって原画像データを取得することができる。原画像データに基づいて原画素の情報を取得する。
ステップＳ１３０２において、予め設定されたアルゴリズムを確定する。
【００５２】
該予め設定されたアルゴリズムは、原画素の色情報と原画素の位置情報で計算して目標画素を取得し、目標画素を予め設定されたルールに従って分布されていない離散ＬＥＤピクセルとし、同時に色を調整することができる。ここで、原画素はＬＥＤディスプレイパネルに予め設定されたルールに従って分布された画素であって、原画素の情報は原画素の色情報と原画素の位置情報を含み、目標画素は予め設定された分布ルールに適合しない画素であって、目標画素の情報は目標画素の色情報と目標画素の位置情報を含む。該予め設定されたアルゴリズムはソフトウェアによって画像処理システムとＬＥＤコントローラに組み込まれることができ、アルゴリズムが改善されると更新することもできる。
【００５３】
ステップＳ１３０３において、画像プロセッサは予め設定されたアルゴリズムに従って画像ビデオリソースを処理して処理結果を得る。
【００５４】
画像プロセッサは、デジタル撮影装置からの原画像データを受信し、例えば、デジタルカメラ、撮像装置、携帯電話の撮像装置等からの原画像データを受信する。その後、画像プロセッサは原画像データに基づいて原画素の情報を取得し、原画素の情報で予め設定されたアルゴリズムに従って計算を行って、目標画素の情報を含む処理結果を得る。
ステップＳ１３０４において、ＬＥＤコントローラは予め設定されたアルゴリズムに従って処理結果を変換させ、ＬＥＤディスプレイパネルに信号を送信する。
【００５５】
ＬＥＤコントローラは画像プロセッサによる処理後の処理結果と予め設定されたアルゴリズムに基づいて、処理結果をＬＥＤディスプレイが受信可能な信号に変換させる。該信号はＬＥＤディスプレイを制御して表示を行う制御信号であることができれば、画像のデータ信号等であることもできる。
【００５６】
ステップＳ１３０５において、ＬＥＤディスプレイパネルが信号を受信して画像を表示する。
【００５７】
ＬＥＤディスプレイパネルは信号を受信して画像ビデオリソースに対応する画像を表示する。目標画素と原画素は予め設定されたアルゴリズムによって一定の対応関係を有し、これにより、複数の目標画素からなる画像と複数の原画素からなる画像は同一の画像を表す。
【００５８】
図１４は本発明の実施例に係る目標画素によって確定した画像を示す図である。図１４に示すように、デジタル撮影装置によってライオンの画像を得て、ライオンの画像を予め設定されたアルゴリズムを有する画像プロセッサとＬＥＤコントローラによって処理してＬＥＤディスプレイに出力し、ＬＥＤディスプレイにおいてライオンの画像を表示する。ＬＥＤディスプレイに表示されるライオンの画像は、大量の行列状の分布ルールに適合しないピクセルからなり、画像は真実且つ明確であって、図３に示すような規則的な行列模様は現れていなく、画像品質が高く、視覚効果が良好である。
【００５９】
該ＬＥＤ表示装置に用いられる画像処理方法の実施例は、デジタル撮影装置によって画像ビデオリソースを取得した後、予め設定されたアルゴリズムを確定し、画像プロセッサにより予め設定されたアルゴリズムに従って画像ビデオリソースを処理して処理結果を得て、ＬＥＤコントローラにより予め設定されたアルゴリズムに従って処理結果を変換させてＬＥＤディスプレイパネルに信号を送信し、ＬＥＤディスプレイパネルにより信号を受信して画像を表示することで、ＬＥＤディスプレイの画像表示品質を向上させる。
【００６０】
なお、図面中のフローチャートに示すステップを例えば１セットのコンピュータが命令を実行可能なコンピュータシステムにおいて実行することができ、また、フローチャートに論理順を示しているが、場合によっては図面に示す又は説明したステップを他の順で実行することも可能である。
【００６１】
本発明の実施例でＬＥＤ表示装置に用いられる画像処理装置を提供する。なお、該ＬＥＤ表示装置に用いられる画像処理装置は本発明の実施例のＬＥＤ表示装置の画像処理方法を実行することができる。
【００６２】
図１５は本発明の実施例に係るＬＥＤ表示装置に用いられる画像処理装置を示す図である。図１５に示すように、該ＬＥＤ表示装置に用いられる画像処理装置は、受信ユニット３０と、取得ユニット４０と、計算ユニット５０と、制御ユニット６０とを含む。
【００６３】
受信ユニット３０は、原画像データを受信する。
【００６４】
取得ユニット４０は、原画像データに基づいて原画素の情報を取得し、ここで、原画素はＬＥＤディスプレイパネルに予め設定されたルールに従って分布された画素であって、原画素の情報は原画素の色情報と原画素の位置情報を含む。
【００６５】
計算ユニット５０は、原画素の情報で予め設定されたアルゴリズムに従って計算を行って目標画素の情報を得て、ここで、目標画素は予め設定された分布ルールに適合しない画素であって、目標画素の情報は目標画素の色情報と目標画素の位置情報を含む。
【００６６】
制御ユニット６０は、目標画素の色情報と目標画素の位置情報に基づいて原画像データに対応する画像を制御してＬＥＤディスプレイパネル上に表示する。
【００６７】
該ＬＥＤ表示装置に用いられる画像処理装置は、抽出ユニットと制御ユニットを更に含む。その中、抽出ユニットは取得ユニット４０が原画像データに基づいて原画素の情報を取得した後、原画素の色情報を抽出し、原画素の画素ピッチ情報を抽出し、画素ピッチ情報は隣接する原画像間のピッチを表す情報であって、確定ユニットは原画素が目標画素まで移動するに必要なオフセット量を確定する。計算ユニット５０により原画素の色情報、原画素の画素ピッチ情報とオフセット量で予め設定されたアルゴリズムに従って計算を行って目標画素の色情報を得る。原画素は複数の原画素を含み、確定ユニットにより複数の原画素が原画素に対応する目標画素まで移動するに必要なオフセット量をそれぞれ確定して、サイズ又は方向が異なる複数のオフセット量を得る。
【００６８】
抽出ユニットが原画像データに基づいて原画素の情報を取得した後、原画素の座標情報を抽出し、計算ユニット５０はさらにオフセット量に基づいて原画素の座標情報をオフセットして、目標画素の座標情報を得て、ここで、制御ユニット６０は目標画素の座標情報に基づいてＬＥＤディスプレイパネル上のＬＥＤピクセルの位置を制御し、ＬＥＤピクセルの位置と目標画素の色情報に基づいてＬＥＤディスプレイパネルで画像を表示する。
【００６９】
該実施例において、原画像データは画像ビデオリソースの各フレームの画像のデータで、画像ビデオリソースの情報を表す。原画像データの取得はデジタル撮影装置によって行うことができる。デジタル撮影装置により原画像データを取得した後、受信ユニット３０により原画像データを受信する。受信ユニット３０により原画像データを受信した後、取得ユニット４０により原画像データに基づいて原画素の情報を取得する。原画素の情報は原画素の色情報と原画素の位置情報を含む。具体的には、原画像データによって画像ビデオリソースの原画素を確定することができ、つまりＬＥＤディスプレイパネル上のＬＥＤピクセルの情報を確定することができる。取得ユニット４０により原画像データに基づいて原画素の情報を取得した後、抽出ユニットにより原画素の色情報を抽出する。抽出ユニットにより原画像データに基づいて原画素の情報を取得した後、原画素の画素ピッチ情報を抽出し、また、原画素の位置情報から原画素の画素ピッチ情報を抽出することが好ましく、画素ピッチ情報は隣接する原画像間のピッチを表す情報である。抽出ユニットにより原画像データに基づいて原画素の情報を取得した後、確定ユニットにより原画素が目標画素まで移動するに必要なオフセット量を確定する。オフセット量が横座標オフセット量と縦座標オフセット量を含むことが好ましい。横座標オフセット量と縦座標オフセット量は予め設定された閾値以下であって、予め設定された閾値は原画素の画素ピッチ未満である。確定ユニットにより複数の原画素が原画素に対応する目標画素まで移動するに必要なオフセット量を確定して複数のオフセット量を得て、ここで、複数のオフセット量のサイズ又は方向は異なっていて、複数のオフセット量によって目標画素の離散程度が決められる。
【００７０】
該実施例において、抽出ユニットにより原画素の座標情報を抽出する。原画素の座標情報が原画素の二次元座標情報であることが好ましく、つまり抽出ユニットにより原画素の横座標情報と原画素の縦座標情報を抽出する。
【００７１】
該実施例において、計算ユニット５０により原画素で予め設定されたアルゴリズムに従って計算を行って目標画素の色情報を得て、予め設定されたアルゴリズムに従ってオフセットさせて目標画素の位置情報を得ることで、目標画素の情報を得る。ここで、目標画素と原画素は予め設定されたアルゴリズムによって一定の対応関係を有し、これにより複数の目標画素からなる画像と複数の原画素からなる画像は同一の画像を表す。具体的には、抽出ユニットにより原画素の色情報を抽出し、原画素の画素ピッチ情報を抽出し、確定ユニットにより原画素が目標画素まで移動するのに必要なオフセット量を確定した後、計算ユニット５０により原画素の色情報、原画素の画素ピッチ情報とオフセット量で予め設定されたアルゴリズムに従って計算を行って目標画素の色情報を得る。計算ユニット５０によりオフセット量に基づいて原画素の座標情報をオフセットして、つまりオフセット量のサイズと方向に基づいて原画素の横座標情報と縦座標情報をオフセットさせる。
【００７２】
該実施例において、計算ユニット５０により原画素の情報で予め設定されたアルゴリズムに従って計算を行った後、制御ユニット６０により目標画素の座標情報に基づいてＬＥＤディスプレイパネル上のＬＥＤピクセルの位置を制御し、ＬＥＤピクセルの位置と目標画素の色情報に基づいてＬＥＤディスプレイパネルで画像を表示する。目標画素と原画素は予め設定されたアルゴリズムによって一定の対応関係を有し、これにより複数の目標画素からなる画像と複数の原画素からなる画像は同一の画像を表す。
【００７３】
該ＬＥＤ表示装置に用いられる画像処理装置の実施例は、受信ユニット３０により原画像データを受信し、取得ユニット４０により原画像データに基づいて原画素の情報を取得し、計算ユニット５０により原画素の情報で予め設定されたアルゴリズムに従って計算を行って目標画素の情報を得て、制御ユニット６０により目標画素の色情報と目標画素の位置情報に基づいて原画像データに対応する画像を制御してＬＥＤディスプレイパネル上に表示することで、ＬＥＤディスプレイの画像表示品質を向上させる。
【００７４】
本発明の実施例はモアレ防止可能なＬＥＤディスプレイの画像処理技術で、予め設定されたアルゴリズムを含み、ＬＥＤランプをＬＥＤディスプレイパネルに行列状の分布方式に適合しない方式で配列し、また対応する予め設定されたアルゴリズムを特定の画像処理システム及びＬＥＤコントローラに印加することで、ＬＥＤディスプレイに微細な変形が発生しないと共に、モアレ現象が発生しない効果を実現でき、ＬＥＤディスプレイの画像表示品質を向上させる。
【００７５】
上記した本発明の各手段又は各ステップを共通の計算装置によって実現することができ、単独の計算装置に集中させることができれば、複数の計算装置から構成されるネットワークに分布させることもでき、さらに計算装置が実行可能なプログラムコードによって実現することもできるので、それらを記憶装置に記憶させて計算装置によって実行することができ、又は夫々集積回路手段に製作し、又はそれらの中の複数の手段又はステップを単一の集積回路手段に製作して実現できることは当業者にとって明らかなことである。このように、本発明は如何なる特定のハードウェアとソフトウェアの結合にも限定されない。
【００７６】
以上は、本発明の好適な実施例に過ぎず、本発明を限定するものではない。当業者であれば本発明に様々な修正や変形が可能である。本発明の精神や原則内での全ての修正、置換、改良などは本発明の保護範囲内に含まれる。
【図１】
0006513234.tif 000002
【図２】
0006513234.tif 000003
【図３】
0006513234.tif 000004
【図４】
0006513234.tif 000005
【図５】
0006513234.tif 000006
【図６】
0006513234.tif 000007
【図７】
0006513234.tif 000008
【図８】
0006513234.tif 000009
【図９】
0006513234.tif 000010
【図１０】
0006513234.tif 000011
【図１１】
0006513234.tif 000012
【図１２】
0006513234.tif 000013
【図１３】
0006513234.tif 000014
【図１４】
0006513234.tif 000015
【図１５】
0006513234.tif 000016